(57)【特許請求の範囲】
【請求項１】
有料道路の通行料金の自動収受を行う車載器であって、前記自動収受する際に必要な情報であるカード情報が記憶されたＩＣカードが装着されるカード装着部を有し、そのカード装着部に前記ＩＣカードが装着されているときに前記自動収受が可能な状態であるスタンバイ状態とされる車載器であって、
前記車載器が搭載される車両には、ユーザが携帯可能な送信機から送信される信号を受信し、その信号に基づいて自車両のドアをロックし又はアンロックするロック制御手段が設けられ、
前記カード装着部に装着された前記ＩＣカードから前記カード情報を読み出す読出手段と、
その読出手段が読み出した前記カード情報を記憶する記憶手段と、
前回に前記ドアがロックされたときと今回に前記ドアがアンロックされたときとで、使用された前記送信機が同じであることを前記ロック制御手段に確認する確認手段と、
その確認手段が、使用された前記送信機が同じであることを確認したことに基づいて、前記記憶手段に記憶された前記カード情報を使用して前記スタンバイ状態に移行させるスタンバイ状態移行手段と、を有することを特徴とする車載器。
【請求項２】
前記送信機が送信する信号には固有のＩＤコードが含まれており、
前記確認手段は、前回にドアがロックされたときと今回にドアがアンロックされたときとで、前記ロック制御手段が受信した前記信号に含まれるＩＤコードが同じであることを確認することで、使用された前記送信機が同じであることを確認することを特徴とする請求項１に記載の車載器。
【請求項３】
前記スタンバイ状態に移行させた後に、自車両のドアのロック／アンロックがあった場合に、前記確認手段が前記同じであることを確認できなかったときには、前記スタンバイ状態を解除するスタンバイ状態解除手段を有することを特徴とする請求項１又は２に記載の車載器。
【請求項４】
前記スタンバイ状態に移行させてからの経過時間を計測する時間計測手段と、
その時間計測手段が計測した前記経過時間が所定時間を超えたか否かを判断する時間判断手段と、
その時間判断手段が、前記経過時間が前記所定時間を超えたと判断した場合に、前記スタンバイ状態を解除するスタンバイ状態解除手段と、を有することを特徴とする請求項１又は２に記載の車載器。
【請求項５】
前記記憶手段に記憶された前記カード情報の前記ＩＣカードとは別のＩＣカードが前記カード装着部に装着されたことを検出する別カード検出手段と、
その別カード検出手段が前記別のＩＣカードの装着を検出した場合に、前記スタンバイ状態を解除するスタンバイ状態解除手段と、を有することを特徴とする請求項１又は２に記載の車載器。
【請求項６】
前記スタンバイ状態解除手段は、前記記憶手段に記憶された前記カード情報を消去することで、前記スタンバイ状態を解除することを特徴とする請求項３〜５のいずれか１項に記載の車載器。
【発明の詳細な説明】
【技術分野】
【０００１】
本発明は、有料道路の通行料金の自動収受を行う車載器に関する。
【背景技術】
【０００２】  従来、有料道路の通行料金を自動収受する料金収受システムとしてのＥＴＣ（登録商標）システム（Ｅｌｅｃｔｒｏｎｉｃ  Ｔｏｌｌ  Ｃｏｌｌｅｃｔｉｏｎ  Ｓｙｓｔｅｍ）が知られている（例えば、特許文献１参照）。このＥＴＣシステムは、有料道路の入口料金所、出口料金所に無線機としての路側機が設けられるとともに、その路側機と無線通信をして通行料金の自動収受をする処理を行う車載器が車両に設けられて構成される。【０００３】
その車載器には、路側機との間で無線通信して自動収受をする際に必要な情報である契約情報等のカード情報が記憶されたＩＣカードが装着されるカード装着部を有する。車載器は、そのカード装着部にＩＣカードが装着されていることを検出すると、路側機との間で無線通信することが可能、すなわち、通行料金の自動収受が可能な状態であるスタンバイ状態とされる。そして、スタンバイ状態で車両が料金所に進入すると、車載器は、路側機から送信される料金所情報を受信したり、搭載された車両に関する車両情報やＩＣカードに記憶されたカード情報を路側機に送信したりして、通行料金の自動収受処理を行う。
【先行技術文献】
【特許文献】
【０００４】
【特許文献１】特開２００９−１６３７６９号公報
【発明の概要】
【発明が解決しようとする課題】
【０００５】
ところで、ＥＴＣシステムにおける通行料金の自動収受を行うためには、上記のように、ユーザは、あらかじめ車載器のカード装着部にＩＣカードを装着して、車載器をスタンバイ状態にしておく必要がある。一方で、ユーザは、車両から離れるときには、ＩＣカードの盗難を防止する等のセキュリティを確保するために、車両にＩＣカードを残しておかないようにするのが望ましい。そのため、従来では、例えば有料道路のサービスエリアで休憩する際には、車両から離れるときにＩＣカードを一旦脱着して、その後、車両に戻ってきたときに再度装着し直す必要があり、その脱着・再装着が手間となっていた。
【０００６】
本発明は、上記問題に鑑みてなされたものであり、有料道路の通行料金を自動収受する車載器において、セキュリティを確保しつつ、ＩＣカードの脱着・再装着にともなう手間を軽減することを課題とする。
【課題を解決するための手段】
【０００７】
上記課題を解決するために、本発明は、有料道路の通行料金の自動収受を行う車載器であって、前記自動収受する際に必要な情報であるカード情報が記憶されたＩＣカードが装着されるカード装着部を有し、そのカード装着部に前記ＩＣカードが装着されているときに前記自動収受が可能な状態であるスタンバイ状態とされる車載器であって、
前記車載器が搭載される車両には、ユーザが携帯可能な送信機から送信される信号を受信し、その信号に基づいて自車両のドアをロックし又はアンロックするロック制御手段が設けられ、
前記カード装着部に装着された前記ＩＣカードから前記カード情報を読み出す読出手段と、
その読出手段が読み出した前記カード情報を記憶する記憶手段と、
前回に前記ドアがロックされたときと今回に前記ドアがアンロックされたときとで、使用された前記送信機が同じであることを前記ロック制御手段に確認する確認手段と、
その確認手段が、使用された前記送信機が同じであることを確認したことに基づいて、前記記憶手段に記憶された前記カード情報を使用して前記スタンバイ状態に移行させるスタンバイ状態移行手段と、を有することを特徴とする。
【０００８】
これによれば、本発明の車載器は、ユーザが携帯可能な送信機の信号に基づいてドアをロック／アンロックするロック制御手段が設けられた車両に搭載される。その車載器は、読出手段が、カード装着部に装着されたＩＣカードからカード情報を読み出し、そのカード情報を記憶手段に記憶させる。そして、車載器は、前回にドアがロックされたときと今回のドアがアンロックされたときとで、使用された送信機が同じである場合には、記憶手段に記憶されたカード情報でスタンバイ状態に移行させる。これにより、ユーザは車両から離れる場合であっても、使用した送信機が同一である場合には、離れる際に脱着したＩＣカードを再装着する必要がないので、再装着にともなう手間を軽減できる。また、使用された送信機が同じことを条件としてスタンバイ状態に移行されるので、記憶手段に記憶されたカード情報が不正に使用されて通行料金の収受がされてしまうのを防止、つまりセキュリティも確保できる。
【０００９】
また、本発明において、前記送信機が送信する信号には固有のＩＤコードが含まれており、
前記確認手段は、前回にドアがロックされたときと今回にドアがアンロックされたときとで、前記ロック制御手段が受信した前記信号に含まれるＩＤコードが同じであることを確認することで、使用された前記送信機が同じであることを確認することを特徴とする。
【００１０】
このように、送信機の信号に含まれるＩＤコードが同じであることを確認することで、確実に、使用された送信機が同じであることを確認することができる。
【００１１】
また、本発明において、前記スタンバイ状態に移行させた後に、自車両のドアのロック／アンロックがあった場合に、前記確認手段が前記同じであることを確認できなかったときには、前記スタンバイ状態を解除するスタンバイ状態解除手段を有することを特徴とする。
【００１２】
このように、一旦、スタンバイ状態に移行された後であっても、その後に、送信機の同一を確認できなかったときにはスタンバイ状態が解除されるので、より一層、セキュリティを確保できる。
【００１３】
また、本発明において、前記スタンバイ状態に移行させてからの経過時間を計測する時間計測手段と、
その時間計測手段が計測した前記経過時間が所定時間を超えたか否かを判断する時間判断手段と、
その時間判断手段が、前記経過時間が前記所定時間を超えたと判断した場合に、前記スタンバイ状態を解除するスタンバイ状態解除手段と、を有することを特徴とする。
【００１４】
これによれば、スタンバイ状態に移行されてから所定時間超えた場合には、そのスタンバイ状態が解除されるので、より一層、セキュリティを確保できる。
【００１５】
また、本発明において、
前記記憶手段に記憶された前記カード情報の前記ＩＣカードとは別のＩＣカードが前記カード装着部に装着されたことを検出する別カード検出手段と、
その別カード検出手段が前記別のＩＣカードの装着を検出した場合に、前記スタンバイ状態を解除するスタンバイ状態解除手段と、を有することを特徴とする。
【００１６】
これによれば、別のＩＣカードが装着された場合には、スタンバイ状態が解除されるので、当初のＩＣカードのカード情報が使用されて通行料金の収受がされてしまうのを防止できる。
【００１７】
また、本発明において、前記スタンバイ状態解除手段は、前記記憶手段に記憶された前記カード情報を消去することで、前記スタンバイ状態を解除することを特徴とする。
【００１８】
これにより、確実にスタンバイ状態を解除できるとともに、記憶手段に記憶されるカード情報が不正使用されることを防止できる。
【図面の簡単な説明】
【００１９】
【図１】車両３０の概略構成を示したブロック図である。
【図２】スタンバイ状態の移行に関連した、ＥＴＣ車載器１、ボデー制御部４及びユーザの動作の一連の流れを示したシーケンス図である。
【図３】スタンバイ状態の移行後における制御部１２が実行する処理を示したフローチャートである。
【発明を実施するための形態】
【００２０】
以下、本発明に係る車載器の実施形態について、図面を参照しながら説明する。図１は、本発明の車載器が搭載された車両３０の概略構成を示したブロック図である。車両３０に搭載されたＥＴＣ車載器１は、車両３０が有料道路を通行する際に、その通行料金の自動収受をするための機器である。具体的には、ＥＴＣ車載器１は、カード装着部１１、制御部１２、記憶部１３及びタイマー１４を有している。カード装着部１１は、通行料金の自動収受を行う際に必要な情報であるカード情報が記憶されたＩＣカード７が装着される部分であり、本実施形態では、ＩＣカード７の挿入部として構成される。
【００２１】
そのＩＣカード７は、カード情報が記憶されるフラッシュメモリ等のメモリ（図示外）が設けられており、そのメモリには、上記カード情報として、例えば、ＩＣカード７の識別情報や有効期限情報あるいは通行料金の引き落とし先の金融機関情報等の決済に関する情報が記憶されている。これら情報は、ＩＣカード７の発行時に内部に固定的に記録された情報である。また、ＩＣカード７は、車両３０が有料道路の入口料金所を通過する際に、その入口料金所を特定する料金所情報もカード情報として記憶される。この料金所情報は、出口料金所において、通行料金を決定するために用いられる。
【００２２】
ＥＴＣ車載器１の制御部１２は、ＣＰＵ（図示外）および、ＲＯＭ、ＲＡＭ等のメモリ（図示外）から構成され、通行料金の自動収受を行うための処理（自動収受処理）を実行するものである。そのメモリには、自動収受処理をするためのプログラムが記憶されており、ＣＰＵが、そのＲＯＭに記憶されたプログラムにしたがう処理をすることで、自動収受処理が実行される。また、そのメモリには、車両３０の車種等の車両情報が記憶されている。
【００２３】
制御部１２は、具体的には自動収受処理として、カード装着部１１にＩＣカード７が装着された状態（スタンバイ状態）で、車両３０が有料道路の入口料金所に進入すると、ＥＴＣ車載器１に接続されたアンテナ６（図１参照）を介して、入口料金所に設けられた路側機（図示外）との間で無線通信を行う。具体的には、制御部１２は、ＩＣカード７に記憶されたカード情報やメモリに記憶された車両情報を読み出して、そのカード情報や車両情報を路側機に送信するとともに、路側機から送信された入口料金所の料金所情報をＩＣカード７に記憶させる。その後車両３０が有料道路を走行し、さらにその後、車両３０が有料道路の出口料金所に進入すると、制御部１２は、出口料金所に設けられた路側機（図示外）との間で無線通信を行う。具体的には、制御部１２は、ＩＣカード７に記憶された料金所情報を含むカード情報や車両情報を路側機に送信する。路側機は、そのカード情報や車両情報を管理コンピュータ（図示外）に送信する。そして、管理コンピュータは、そのカード情報に基づいてＩＣカード７の有効期限等を確認するとともに、料金所情報や車両情報に基づいて通行料金を決定して、通行料金の決済を行う。その後、路側機は、決済された通行料金等の情報をＥＴＣ車載器１に送信し、ＥＴＣ車載器１の制御部１２は、その情報を利用履歴として、ＩＣカード７に記憶させる。
【００２４】
また、ＥＴＣ車載器１は、装着されたＩＣカードとの間で通信をするためのコネクタ（図示外）が設けられ、制御部１２は、そのコネクタを介して、装着されたＩＣカードが、通行料金の自動収受専用のＩＣカード７であるか否かを判断することができる。そして、ＥＴＣ車載器１は、装着されたＩＣカードが専用のＩＣカード７である場合には、料金所において路側機との間で無線通信できる状態、つまり、自動収受が可能な状態であるスタンバイ状態に移行される。また、その際に、制御部１２は、ＥＴＣ車載器１に設けられた例えば青色のＬＥＤ（図示外）を発光させて、スタンバイ状態であることをユーザに知らせる。一方、制御部１２は、装着されたＩＣカードが専用のＩＣカード７でない場合には、ＥＴＣ車載器１に設けられた例えば赤色のＬＥＤ（図示外）を発光させて、スタンバイ状態でないことをユーザに知らせる。さらに、ＥＴＣ車載器１（制御部１２）は、ＩＣカード７が装着されていない場合であっても、一定の場合には、スタンバイ状態に移行させる。その部分については本発明の特徴部分であるので、後に詳細に説明する。
【００２５】
上述したように、ＥＴＣ車載器１は、制御部１２の他に、記憶部１３、タイマー１４を有している。記憶部１３は、車両３０のエンジンが停止されたときなど電源供給が絶たれてもその記憶内容が保持されるフラッシュメモリ等の不揮発性メモリから構成される。なお、車両３０のバッテリ（図示外）に記憶部１３が直結されている場合には、記憶部１３をＲＡＭ等の揮発性メモリで構成してもよい。その記憶部１３は、装着されたＩＣカード７に記憶されたカード情報を記憶するためのものである。また、タイマー１４は、時間を計測するためのものである。
【００２６】
車両３０は、いわゆるワイヤレスキーシステムが適用されており、具体的には、ユーザが携帯可能な送信機としてのワイヤレスキー１００からの無線信号に基づいて、ドアロック３１をロックし又はアンロックする。そのワイヤレスキー１００は、ロックを指示するロックボタン１０１及びアンロックを指示するアンロックボタン１０２が設けられる。ワイヤレスキー１００は、ロックボタン１０１が押された場合には、ロックを指示する機能コードを含むロック信号を、外部に無線で送信する。また、ワイヤレスキー１００は、アンロックボタン１０２が押された場合には、アンロックを指示する機能コードを含むアンロック信号を、外部に無線で送信する。さらに、ワイヤレスキー１００は、固有のＩＤコードが記憶されたメモリ（図示外）が設けられ、そのＩＤコードを付して、上記ロック信号又はアンロック信号を送信する。なお、ワイヤレスキー１００は、これらロック信号、アンロック信号を、所定の形式の信号に変調して送信している。また、それらロック信号、アンロック信号の送信範囲は、例えば、ワイヤレスキー１００から２、３ｍの範囲とされる。一般的に、ワイヤレスキー１００にはメカ鍵も備わっており、ユーザは、ドアに設けられた鍵穴（図示外）に差し込むことで、直接ドアをロック又はアンロックさせることもできる。
【００２７】
また、車両３０は、ワイヤレスキーシステムを実現するための構成を有しており、具体的には、受信チューナ２、その受信チューナ２に接続されたアンテナ９、ドアロック駆動部３、ドアロック３１及びボデー制御部４を有している。受信チューナ２は、ワイヤレスキー１００からのロック信号又はアンロック信号をアンテナ９を介して受信し、受信したロック信号、アンロック信号を元の信号に復調する復調回路から構成される。復調されたロック信号、アンロック信号は、通信線２００を介して、ボデー制御部４に送信される。
【００２８】
ボデー制御部４は、ＣＰＵ、ＲＯＭ、ＲＡＭ等から構成され、車両３０のドアロック３１等のボデー系機器を制御するものである。具体的には、ボデー制御部４は、受信チューナ２からのロック信号又はアンロック信号に含まれるＩＤコード及び機能コードを解析して、そのＩＤコードが所定のＩＤコードであるか、その機能コードがロックを指示するものかアンロックを指示するものかを確認する。そして、ボデー制御部４は、ＩＤコードが所定のＩＤコードである場合には、解析した機能コードに応じた制御信号（ロックを指示する制御信号又はアンロックを指示する制御信号）を、通信線２０２を介して、ドアロック駆動部３に送信する。
【００２９】
ドアロック駆動部３は、モータ等のアクチュエータから構成され、ボデー制御部４からの制御信号に応じて、車両３０のドアロック３１をロックしたりアンロックしたりするものである。すなわち、ボデー制御部４からロックを指示する制御信号が送信された場合には、ドアロック駆動部３はドアロック３１をロックさせ、アンロックを指示する制御信号が送信された場合には、ドアロック３１をアンロックさせる。
【００３０】
また、車両３０には、カーナビゲーション装置（図示外）が搭載され、そのカーナビゲーション装置の表示を制御するカーナビ表示制御部５が車両３０に設けられる。そのカーナビ表示制御部５は、例えば、カーナビゲーション装置の表示部（図示外）に対して、車両３０の現在地周辺の地図を表示させる。また、カーナビ表示制御部５、ボデー制御部４及びＥＴＣ車載器１は、通信線２０１を介して互いに通信可能に接続されており、カーナビ表示制御部５は、それらボデー制御部４、ＥＴＣ車載器１の動作に応じた内容を表示部に表示させることができる。例えば、カーナビ表示制御部５は、ＥＴＣ車載器１と通信することで、決済された通行料金を表示部に表示させる。
【００３１】
次に、ＩＣカード７が装着されていない場合であってもスタンバイ状態に移行させるときの、ＥＴＣ車載器１の動作について説明する。ここで、図２は、スタンバイ状態の移行に関連した、ＥＴＣ車載器１、ボデー制御部４及びユーザの動作の一連の流れを示したシーケンス図である。先ず、ユーザは、車両３０にて有料道路を走行しようと考える場合には、ＩＣカード７をＥＴＣ車載器１のカード装着部１１に装着させる（Ａ１）。ＥＴＣ車載器１は、そのＩＣカード７が装着されると、有料道路の料金所に設けられた路側機との間で無線通信可能な状態（通行料金の自動収受が可能な状態）、すなわちスタンバイ状態とされる（Ｓ１１）。なお、この際、ＥＴＣ車載器１の制御部１２は、スタンバイ状態であることを、ＬＥＤ等でユーザに報知する。
【００３２】
次いで、ＥＴＣ車載器１の制御部１２は、装着されているＩＣカード７に記憶されているカード情報を読み出す（Ｓ１２）。そして、その読み出したカード情報を、記憶部１３に記憶させる（Ｓ１３）。なお、ＩＣカード７からカード情報を読み出し、記憶部１３に記憶させるタイミングは、ＩＣカード７が脱着されるまでの間であればいつでもよく、例えば、ＩＣカード７の装着直後のタイミングとすることができる。なお、Ｓ１２を実行する制御部１２が本発明の「読出手段」に相当し、Ｓ１３にてカード情報が記憶される記憶部１３が本発明の「記憶手段」に相当する。また、従来のカード読み出しによるスタンバイ状態になる過程での読み出しデータを記憶手段に保存しても良い。
【００３３】
ユーザは、ＩＣカード７の装着（Ａ１）後、車両３０を走行させ、さらにその後、休憩等で車両３０から一時的に離れるとする。この場合、ユーザは、ＩＣカード７の盗難を防止するために、ＩＣカード７をＥＴＣ車載器１から脱着させ、そのＩＣカード７を自分で所持する（Ａ２）。ＥＴＣ車載器１は、その脱着を受けて、スタンバイ状態が解除される（Ｓ１４）。また、この際、ＥＴＣ車載器１は、スタンバイ状態でないことを、ＬＥＤ等でユーザに報知する。なお、この際、記憶部１３に記憶されたカード情報は保持される。
【００３４】
ユーザは、車両３０から離れる際に、ワイヤレスキー１００のロックボタン１０１を押して、ワイヤレスキー１００からロック信号を送信させる（Ａ３）。ボデー制御部４は、そのロック信号を、受信チューナ２を介して受信し（Ｓ２１）、受信したロック信号を解析してＩＤコード及び機能コードを確認する（Ｓ２２）。そして、ボデー制御部４は、ＩＤコードが所定のＩＤコードである場合には、ドアロック駆動部３にロックを指示する制御信号を送信して、ドアロック３１をロックさせる（Ｓ２３）。
【００３５】
その後、ユーザは、車両３０に戻ってくると、車両３０に入り込むために、ワイヤレスキー１００のアンロックボタン１０２を押して、ワイヤレスキー１００からアンロック信号を送信させる（Ａ４）。ボデー制御部４は、そのアンロック信号を、受信チューナ２を介して受信し（Ｓ２４）、受信したアンロック信号を解析してＩＤコード及び機能コードを確認する（Ｓ２５）。そして、ボデー制御部４は、ＩＤコードが所定のＩＤコードである場合には、ドアロック駆動部３にアンロックを指示する制御信号を送信して、ドアロック３１をアンロックさせる（Ｓ２６）。その後、ボデー制御部４は、前回にロックされたとき（Ｓ２３）と今回にアンロックされたとき（Ｓ２６）とで、ワイヤレスキー１００から送信された信号に含まれるＩＤコードが同じであることを確認する（Ｓ２７）。そして、そのＩＤ確認結果を、通信線２０１（図１参照）を介して、ＥＴＣ車載器１に送信する（Ｓ２８）。なお、Ｓ２１〜Ｓ２６を実行するボデー制御部４が本発明の「ロック制御手段」に相当する。
【００３６】
ＥＴＣ車載器１は、ボデー制御部４からのＩＤ確認結果を受信して、前回にロックされたとき（Ｓ２３）と今回にアンロックされたとき（Ｓ２６）とで、ワイヤレスキー１００のＩＤコードが同じであることを確認する（Ｓ１５）。ＩＤコードが同じであるということは、図２のＡ１〜Ａ４までのユーザが変化していないと判断することができる。そこで、ＥＴＣ車載器１は、記憶部１３に記憶されたカード情報を使用して、路側機と無線通信可能な状態（自動収受が可能な状態）であるスタンバイ状態に移行させる（Ｓ１６）。また、この際、ＥＴＣ車載器１は、スタンバイ状態とされたことを、ＬＥＤ等でユーザに報知する。なお、Ｓ１５を実行する制御部１２が本発明の「確認手段」に相当する。また、Ｓ１６を実行する制御部１２が本発明の「スタンバイ状態移行手段」に相当する。
【００３７】
これによって、ユーザは、再度、ＩＣカード７をカード装着部１１に装着させる必要がないので、再装着にともなう手間を軽減できる。また、ユーザは、ＩＣカード７の再装着の手間を省くために、車両３０から離れる際にＩＣカード７を車両３０に残しておく必要がないので、セキュリティも確保することができる。
【００３８】
その後、このスタンバイ状態（Ｓ１６）にて、車両３０が有料道路の料金所に進入すると、ＥＴＣ車載器１は、記憶部１３に記憶されたカード情報を使用して、路側機との間で無線通信を行うことで、通行料金の自動収受を行う。
【００３９】
一方、ユーザが車両３０から離れる際に、ボデー制御部４が先に説明したＳ２１〜Ｓ２６の処理を行わなかった場合には、ボデー制御部４は、ＩＤコードが同じであることの確認（Ｓ２７）を行うことができない。Ｓ２１〜Ｓ２６の処理を行わなかった場合とは、ワイヤレスキー１００の無線信号に基づいてロック又はアンロックをしなかった場合であり、例えば、ユーザが鍵穴にメカ鍵を差し込んで、ロック又はアンロックさせた場合や、第三者が不正の手段でドアを開けた場合（ドアをこじ開けた場合や、ワイヤレスキー１００以外の鍵でドアを開けた場合）がある。この場合には、ボデー制御部４は、ＩＤ確認結果（Ｓ２８）をＥＴＣ車載器１に送信しないので、ＥＴＣ車載器１はスタンバイ状態に移行させない。よって、例えば、ユーザが車両３０から離れている間に、車両３０が盗難された場合であっても、記憶部１３に記憶されたカード情報で、通行料金の自動収受が行われることを防止できる。
【００４０】
スタンバイ状態に移行させた後（Ｓ１６）、そのスタンバイ状態を無制限に維持させることはセキュリティの観点から好ましくないので、ＥＴＣ車載器１は、一定の場合には、そのスタンバイ状態を解除する。ここで、図３は、スタンバイ状態の移行後における、スタンバイ状態を解除に関連してＥＴＣ車載器１の制御部１２が実行する処理を示したフローチャートである。以下、そのフローチャートを参照して、スタンバイ状態の解除について説明する。なお、このフローチャートの処理は、Ｓ１６のスタンバイ状態に移行されたことに基づいて開始される。
【００４１】
先ず、ＥＴＣ車載器１内のタイマー１４（図１参照）を使用して、図２のＳ１６のスタンバイ状態に移行させてからの経過時間ｔの計測を開始する（Ｓ３１）。次いで、その経過時間ｔが、所定時間ｔ０を超えたか否かを判断する（Ｓ３２）。この所定時間ｔ０は、例えば車両３０が出発地を出発してから目的地に到着するまでの時間を考慮して定められ、例えば５、６時間とされる。また、例えば、所定時間ｔ０は、スタンバイ状態に移行された日の次の日までの時間としてもよい。なお、Ｓ３１を実行する制御部１２及びタイマー１４が本発明の「時間計測手段」に相当する。
【００４２】
ここで、経過時間ｔが所定時間ｔ０を超えている場合には（Ｓ３２：ＹＥＳ）、制御部１２は、料金所において自動収受が出来ない状態、つまりスタンバイ状態を解除する（Ｓ３５）。一方、経過時間ｔが未だ所定時間ｔ０を超えていない場合は（Ｓ３２：ＮＯ）、後述するＳ３３の判断が「ＮＯ」、Ｓ３４の判断が「ＹＥＳ」とされることを条件として、スタンバイ状態が維持される。これによって、スタンバイ状態に移行されてから所定時間ｔ０（例えば５、６時間、次の日まで）の間、例えば、目的地に到着するまでの間は、ユーザが休憩等で車両３０を何回離れたとしても、スタンバイ状態が維持されるので、ユーザの手間を軽減できる。また、スタンバイ状態に移行されてから所定時間ｔ０を超えた場合、例えば、目的地に到着した場合はスタンバイ状態が解除されるので、より一層、セキュリティを確保できる。なお、Ｓ３２を実行する制御部１２が本発明の「時間判断手段」に相当する。
【００４３】
制御部１２は、Ｓ３２の次に、記憶部１３に記憶されたカード情報のＩＣカード７とは別のＩＣカードが、カード装着部１１に装着されたか否かを判断する（Ｓ３３）。これは、別のＩＣカードが装着された場合に、その別のＩＣカードに記憶されたカード情報を確認することで、別のＩＣカードが装着されたことを判断をすることができる。ここで、別のＩＣカードが装着された場合には（Ｓ３３：ＹＥＳ）、先のＳ１６におけるスタンバイ状態を解除する（Ｓ３５）。なお、この場合、ＥＴＣ車載器１は、装着された別のＩＣカードに基づいてスタンバイ状態とされる。これによって、別のＩＣカードが装着されたにもかかわらず、当初のＩＣカード７のカード情報で自動収受がなされてしまうのを防止できる。なお、Ｓ３３を実行する制御部１２が本発明の「別カード検出手段」に相当する。
【００４４】
一方、Ｓ３３において、別のＩＣカードが装着されていない場合は（Ｓ３３：ＮＯ）、Ｓ３４の処理に進める。そして、Ｓ３４では、車両３０のドアロック３１が再度、ロック／アンロックされた場合に、使用されたワイヤレスキー１００が同一か否かを判断する（Ｓ３４）。具体的には、例えば、車両３０のドアロック３１が再度、ロック／アンロックされた場合に、ボデー制御部４は、ＩＤコードが同一であることを示す信号、又は同一でないことを示す信号をＥＴＣ車載器１に送信する。例えば、ユーザがメカ鍵でロック又はアンロックさせた場合や、第三者が不正の手段でドアを開けた場合に、ボデー制御部４は、ＩＤコードが同一でないことを示す信号を送信する。そして、制御部１２は、そのボデー制御部４からの信号に基づいて、使用されたワイヤレスキー１００が同一か否かを判断する（Ｓ３４）。
【００４５】
ここで、使用されたワイヤレスキー１００が同一でない場合は（Ｓ３４：ＮＯ）、制御部１２は、記憶部１３に記憶されたカード情報を消去することで、スタンバイ状態を解除する（Ｓ３５）。これによって、一旦、スタンバイ状態に移行された後であっても、その後に、ワイヤレスキー１００の同一を確認できなかったときにはスタンバイ状態が解除されるので、より一層、セキュリティを確保できる。なお、Ｓ３５を実行する制御部１２が本発明の「スタンバイ状態解除手段」に相当する。
【００４６】
一方、Ｓ３４において、使用されたワイヤレスキー１００が同一である場合は（Ｓ３４：ＹＥＳ）、Ｓ３２の処理に戻る。この場合、上述のＳ３２〜Ｓ３４の処理が実行され、経過時間ｔが所定時間ｔ０を超えるまで（Ｓ３２：ＹＥＳ）、別のＩＣカードが装着されるまで（Ｓ３３：ＹＥＳ）、又はワイヤレスキー１００の同一が確認できなくなったときまで（Ｓ３４：ＮＯ）スタンバイ状態が維持されることになる。そして、Ｓ３５においてスタンバイ状態を解除した後、図３のフローチャートの処理が終了する。
【００４７】
なお、本発明に係る車載器は上記実施形態に限定されるものではなく、特許請求の範囲の記載を逸脱しない限度で変形することができる。例えば、上記実施形態では、送信機として、ロックボタン、アンロックボタンが押されることでロック信号又はアンロック信号を送信するワイヤレスキーの場合を示したが、いわゆるスマートエントリーシステムに用いられる送信機の場合でもよい。このスマートエントリーシステムでは、車両側からのリクエスト信号に応答して、送信機は固有のＩＤコードを含むレスポンス信号を車両側に送信する。車両側では、そのレスポンス信号に含まれるＩＤコードの照合を行い、照合可の場合には、車両のドアのロック又はアンロックを許可する。よって、ドアロック時及びアンロック時において、ＩＤコードを含む信号を送信する点では、上記実施形態と同じであるので、スマートエントリーシステムにおいても本発明を適用することができる。
【符号の説明】
【００４８】
１  ＥＴＣ車載器（車載器）
１１  カード装着部
１２  制御部
１３  記憶部（記憶手段）
１４  タイマー
２  受信チューナ
３  ドアロック駆動部
３１  ドアロック
４  ボデー制御部
７  ＩＣカード
３０  車両
１００  ワイヤレスキー（送信機）
【図１】
0005418849.tif 000002
【図２】
0005418849.tif 000003
【図３】
0005418849.tif 000004